(57)【要約】【課題】  大きい力でカードをカードコネクタとの嵌合状態から離脱させ、しかも、カードのイジェクト量を長くすることができるイジェクト機構付きカードコネクタを提供する。【解決手段】  レバー３には、カード第１押し出し部３ｂとカード第２押し出し部３ｃが折曲形成されている。カード１１がカードコネクタ１に挿入されるときには、レバー３は、カードの先端部１１ａに押圧されてコネクタ本体２の軸２ａ２を回転中心として左回転する。カードをカードコネクタからイジェクトするときには、スライダ４をコネクタ本体に対してスライドさせると、レバーは軸を回転中心として右回転する。すると、まず、回転中心に近い第１押し出し部がカードの先端部を押圧するので、カードはカードコネクタとの嵌合状態から離脱する。次に、回転中心に遠い第２押し出し部がカードの先端部を押圧するので、カードはカードコネクタから長くイジェクトされる。【選択図】  図４
2005093199.tif 000002
【特許請求の範囲】
【請求項１】
カードの接続部に接続されるコンタクトを設けられたコネクタ本体と、前記コネクタ本体に回転可能に取り付けられたレバーとを有するイジェクト機構付きカードコネクタにおいて、
前記レバーには、少なくとも２つのカード押し出し部が形成され、
前記カードが前記カードコネクタに挿入されるときには、前記レバーは、前記カードの先端部に押圧されて前記レバーの回転中心を支点として一方向に回転し、
前記カードが前記カードコネクタからイジェクトされるときには、前記レバーは、前記レバーの回転中心を支点として反対方向に回転し、前記レバーの回転中心に近い前記カード押し出し部から順次遠い前記カード押し出し部が前記カードの先端部を押圧することを特徴とするイジェクト機構付きカードコネクタ。
【請求項２】
前記レバーには、前記少なくとも２つのカード押し出し部に代えて１つのカード連続押し出し部が形成され、前記レバーの回転中心に近い前記カード連続押し出し部の箇所から順次遠い前記カード連続押し出し部の箇所が前記カードの先端部を押圧することを特徴とする請求項１記載のイジェクト機構付きカードコネクタ。
【発明の詳細な説明】
【技術分野】
【０００１】
本発明は、ノートブック型パーソナルコンピュータ、携帯電話及び携帯情報端末等に使用されるカードコネクタに関し、詳しくは小さい操作力によってカードをコネクタから容易にイジェクトすることができ、しかも、イジェクト量が大きいイジェクト機構付きカードコネクタに関する。
【背景技術】
【０００２】
従来のイジェクト機構付きカードコネクタについて図１１〜図１３を参照して説明する（この種のコネクタは、例えば、特許文献１及び２に記載されている。）。
【０００３】
図１１は、カードコネクタ２１にカード３１が挿入されて嵌合した状態の正面図、図１２は、レバー２３の斜視図、図１３は、カード３１がカードコネクタ２１からイジェクトされた状態の正面図を、それぞれ示す。
【０００４】
図１１において、カード３１の先端部３１ａは、カードコネクタ２１のコネクタ本体２２における内側最奥部２２ａに当接している。この状態においては、カード３１のコンタクト（図示せず）は、カードコネクタ２１のコンタクト（図１３参照）と接続している。
【０００５】
レバー２３の中央には、丸孔２３ａが設けられ、丸孔２３ａはコネクタ本体２２に設けられた軸２２ｂに回転可能にはめ込まれている。
【０００６】
図１２に示されるように、レバー２３の一端には、カード押し出し部２３ｂが折曲形成され、レバー２３の他端には、スライダ２４によって押圧される被押圧部２３ｃが折曲形成されている。スライダ２４は、コネクタ本体２２の一側部に平行にスライド可能に保持されている。
【０００７】
図１１の状態において、スライダ２４を押し込むと、スライダ２４の先端がレバー２３の被押圧部２３ｃを押圧するので、レバー２３は軸２２ｂを支点として右回転する。すると、レバー２３の押し出し部２３ｂは、図１３に示されるように、カード３１の先端部３１ａを押圧する。したがって、カード３１は、コネクタ本体２２からイジェクトされる。
【０００８】
なお、コネクタ本体２２内には、インシュレータ２２ｃが収納され、インシュレータ２２ｃには、多数のコンタクト２２ｄが一定のピッチで設置されている。
【０００９】
図１３のイジェクト完了状態において、カード３１をカードコネクタ２１に挿入すると、カード３１の先端部３１ａがレバー２３のカード押し出し部２３ｂを押圧するので、レバー２３は軸２２ｂを支点として左回転する。したがって、レバー２３の被押圧部２３ｃはスライダ２４の先端を押圧するので、レバー２３とスライダ２４は図１１の嵌合状態に至る。
【特許文献１】特開平１０−１８９１３９号公報
【特許文献２】特開２００２−２３１３８１号公報
【発明の開示】
【発明が解決しようとする課題】
【００１０】
前記従来のイジェクト機構付きカードコネクタでは、カード３１をカードコネクタ２１から大きい力でイジェクトするために、レバー２３の支点とカード押し出し部２３ｂの間の距離を短くすると、カード３１のイジェクト量（ストローク）が短くなる（以下「第１方法」という。）。カード３１のイジェクト量を長くするために、レバー２３の支点とカード押し出し部２３ｂの間の距離を長くすると、カード３１をカードコネクタ２１からイジェクトする力が小さくなる（以下「第２方法」という。）。第１方法と第２方法は、ジレンマである。
【００１１】
そこで、本発明は、前記従来のイジェクト機構付きカードコネクタの欠点を改良し、大きい力でカードをカードコネクタとの嵌合状態から離脱させ、しかも、カードのイジェクト量を長くすることができるイジェクト機構付きカードコネクタを提供しようとするものである。
【課題を解決するための手段】
【００１２】
本発明は、前記課題を解決するため、次の手段を採用する。
【００１３】
１．カードの接続部に接続されるコンタクトを設けられたコネクタ本体と、前記コネクタ本体に回転可能に取り付けられたレバーとを有するイジェクト機構付きカードコネクタにおいて、前記レバーには、少なくとも２つのカード押し出し部が形成され、前記カードが前記カードコネクタに挿入されるときには、前記レバーは、前記カードの先端部に押圧されて前記レバーの回転中心を支点として一方向に回転し、前記カードが前記カードコネクタからイジェクトされるときには、前記レバーは、前記レバーの回転中心を支点として反対方向に回転し、前記レバーの回転中心に近い前記カード押し出し部から順次遠い前記カード押し出し部が前記カードの先端部を押圧するイジェクト機構付きカードコネクタ。
【００１４】
２．前記レバーには、前記少なくとも２つのカード押し出し部に代えて１つのカード連続押し出し部が形成され、前記レバーの回転中心に近い前記カード連続押し出し部の箇所から順次遠い前記カード連続押し出し部の箇所が前記カードの先端部を押圧する前記１記載のイジェクト機構付きカードコネクタ。
【発明の効果】
【００１５】
明細書の記載から明らかなように、本発明によれば、次の効果が奏される。
【００１６】
１．大きい力でカードをカードコネクタとの嵌合状態から離脱させ、しかも、カードのイジェクト量を長くすることができる。
【００１７】
２．従来の技術と対比して、部品点数は増加することがなく、また、レバーを改造するのみで済むので、イジェクト機構に大きい変更を要しない。
【００１８】
３．構造が簡素で、製作が容易で、更に、コストが安価である。
【発明を実施するための最良の形態】
【００１９】
本発明の２つの実施例のイジェクト機構付きカードコネクタについて説明する。
【実施例１】
【００２０】
本発明の実施例１について図１〜図６を参照して説明する。
【００２１】
図１（Ａ）は、カードコネクタ１の斜視図であり、カードコネクタ１のコネクタ本体２は、コ字型に構成される。図１（Ｂ）は、カードコネクタ１にカード１１が挿入されて、カード１１がカードコネクタ１と嵌合した状態を示す。
【００２２】
図２は、カードコネクタ１の分解斜視図である。カードコネクタ１は、コ字型フレームのカードガイド２ａと、カードガイド２ａの奥側にはめ込まれるインシュレータ２ｂと、インシュレータ２ｂに一定のピッチで配設された多数のコンタクト２ｃと、カードガイド２ａ又はインシュレータ２ｂに回転可能に取り付けられるレバー３と、カードガイド２ａの一側部に平行にスライド可能に保持されてレバー３を押すスライダ４とから構成される。コネクタ本体２は、カードガイド２ａと、インシュレータ２ｂと、多数のコンタクト２ｃとから構成される。
【００２３】
カードガイド２ａの両側部には、カードコネクタ１をプリント基板等に固定するために、それぞれ取付部２ａ１が設けられている。
【００２４】
図３は、レバー３の斜視図である。レバー３には、その中央から若干離れた位置に丸孔３ａが開けられ、その中央付近の一側面にカード第１押し出し部３ｂが折曲形成され、その一端の一側面にカード第２押し出し部３ｃが折曲形成され、その他端にスライダ４に押圧される被押圧部３ｄが設けられる。被押圧部３ｄは、折曲され、折曲された部分の他側面にスライダ４の先端折曲片４ａと係合する切欠３ｄ１が設けられている。丸孔３ａは、カードガイド２ａに設けられた軸２ａ２に回転可能にはめ込まれている。
【００２５】
図４は、カードコネクタ１にカード１１が挿入されて嵌合した状態の要部の正面図である。図４の状態において、スライダ４を押し込むと、スライダ４の先端部４ｂがレバー３の被押圧部３ｄを押圧するので、レバー３は軸２ａ２を支点として右回転する。すると、図５に示されるように、レバー３のカード第１押し出し部３ｂは、カード１１の先端部１１ａを押圧する。したがって、カード１１は、カードコネクタ１との嵌合状態から離脱してカードコネクタ１から若干イジェクトされる。
【００２６】
図６に示されるように、スライダ４を更に押し込むと、以後、レバー３のカード第２押し出し部３ｃが、カード１１の先端部１１ａを押圧する。したがって、カード１１は、カードコネクタ１からイジェクトされる。
【００２７】
実施例１では、レバー３にカード押し出し部が２つ形成されているが、３つ以上形成するように設計変更することができる。
【実施例２】
【００２８】
本発明の実施例２について図７〜図１０を参照して説明する。ただし、実施例２については、実施例１と同様な点の説明を省略し、相違する点のみの説明を行う。
【００２９】
実施例１では、レバー３にカード第１押し出し部３ｂとカード第２押し出し部３ｃの２箇所のカード押し出し部が設けられているが、実施例２では、図７に示されるように、レバー３に１箇所のカード連続押し出し部３ｅが設けられている。カード連続押し出し部３ｅは、レバー３の一側面の一端から中央付近までにわたって長く連続して折曲形成されている。カード１１の先端部１１ａを押圧するカード連続押し出し部３ｅの面は、平面状に構成される。
【００３０】
図８は、カードコネクタ１にカード１１が挿入されて嵌合した状態の正面図である。この状態では、カード連続押し出し部３ｅは、カード１１の先端部１１ａに対して傾斜し、レバー３の支点に近いカード連続押し出し部３ｅの一端３ｅ１は、先端部１１ａに当接している。スライダ４を押し込むと、レバー３のカード連続押し出し部３ｅの一端３ｅ１は、カード１１の先端部１１ａを押圧する。したがって、カード１１は、カードコネクタ１との嵌合状態から離脱して、図９に示されるように、カードコネクタ１から若干イジェクトされる。図９の状態では、カード連続押し出し部３ｅは、カード１１の先端部１１ａに平行に位置して全面的に圧接している。
【００３１】
図１０に示されるように、スライダ４を更に押し込むと、カード連続押し出し部３ｅがカード１１の先端部１１ａに対して逆方向に傾斜し、レバー３の支点から遠いカード連続押し出し部３ｅの他端３ｅ２はカード１１の先端部１１ａを押圧する。したがって、カード１１は、カードコネクタ１からイジェクトされる。
【００３２】
実施例１，２においては、レバー３をスライダ４によって回転させるが、手指又は他のレバーによって回転させるように設計変更することができる。
【図面の簡単な説明】
【００３３】
【図１】本発明の実施例１のイジェクト機構付きカードコネクタとカードの斜視図であり、（Ａ）は同カードコネクタ、（Ｂ）は同カードが同カードコネクタと嵌合した状態を、それぞれ示す。
【図２】同カードコネクタの分解斜視図である。
【図３】同カードコネクタのレバーの斜視図である。
【図４】同カードが同カードコネクタと嵌合した状態の要部の正面図である。
【図５】同カードが同カードコネクタからイジェクトされる途中の状態の要部の正面図である。
【図６】同カードが同カードコネクタからイジェクトされた状態の要部の正面図である。
【図７】本発明の実施例２のイジェクト機構付きカードコネクタのレバーの斜視図である。
【図８】同カードが同カードコネクタと嵌合した状態の要部の正面図である。
【図９】同カードが同カードコネクタからイジェクトされる途中の状態の要部の正面図である。
【図１０】同カードが同カードコネクタからイジェクトされた状態の要部の正面図である。
【図１１】従来のイジェクト機構付きカードコネクタにカードが嵌合した状態の要部の正面図である。
【図１２】同カードコネクタのレバーの斜視図である。
【図１３】同カードが同カードコネクタからイジェクトされた状態の要部の正面図である。
【符号の説明】
【００３４】
１  カードコネクタ（イジェクト機構付きカードコネクタ）
２  コネクタ本体
２ａ  カードガイド
２ａ１  取付部
２ａ２  軸
２ｂ  インシュレータ
２ｃ  コンタクト
３  レバー
３ａ  丸孔
３ｂ  カード第１押し出し部
３ｃ  カード第２押し出し部
３ｄ  被押圧部
３ｄ１  切欠
３ｅ  カード連続押し出し部
３ｅ１  一端
３ｅ２  他端
４  スライダ
４ａ  先端折曲片
４ｂ  先端部
１１  カード
１１ａ  先端部
【図１】
2005093199.tif 000003
【図２】
2005093199.tif 000004
【図３】
2005093199.tif 000005
【図４】
2005093199.tif 000006
【図５】
2005093199.tif 000007
【図６】
2005093199.tif 000008
【図７】
2005093199.tif 000009
【図８】
2005093199.tif 000010
【図９】
2005093199.tif 000011
【図１０】
2005093199.tif 000012
【図１１】
2005093199.tif 000013
【図１２】
2005093199.tif 000014
【図１３】
2005093199.tif 000015